(57)【要約】      （修正有）【課題】保管時などにおいて場所を取らず、かつ、すぐれた走行安定性を発揮する工業用掃除機における台車装置を提供する。【解決手段】掃除機本体の下部に台車を配置した構成を有する工業用掃除機において、掃除機本体１６の外側にほぼ接する大きさの多角形１７を想定するとともに、掃除機本体１６から離れた上記多角形１７の角部に相当する位置又はその近傍の位置にそれぞれ車輪を設置する。【選択図】図２
0003143321.tif 000002
【実用新案登録請求の範囲】
【請求項１】
掃除機本体の下部に台車を配置した構成を有する工業用掃除機において、
本体の外側にほぼ接する大きさの多角形を想定するとともに、本体から離れた上記多角形の角部に相当する位置又はその近傍の位置にそれぞれ車輪を設置した
ことを特徴とする
工業用掃除機における台車装置。
【請求項２】
上記多角形の角部に相当する位置又はその近傍の位置に本体との間に、ホース類の巻き付けが可能な間隔をあけて支柱を立て設けた構成を有する請求項１記載の工業用掃除機における台車装置。
【請求項３】
掃除機本体は縦長かつ円筒形状を有しており、
車輪を取り付ける台車枠は、上記円筒形状にほぼ外接する四角形の対角線と同様の交差状の形態を有し、
前記台車枠の先端部にそれぞれ車輪を取り付けたボルトを利用して支柱を設けている
請求項１記載の工業用掃除機における台車装置。
【考案の詳細な説明】
【技術分野】
【０００１】
本考案は、掃除機本体の下部に台車を配置した構成を有する工業用掃除機における台車装置に関するものである。
【背景技術】
【０００２】
工業用掃除機は、店舗や倉庫、工場その他の非常に広い分野において使用され、使用される環境も様々である。従って、吸引物も固体の塵埃とは限らず、例えば床にこぼれた水や油なども対象となる。このような状況であるから、平坦な床のほか、段差や様々な溝、突起などを越えることも日常的に起こり、あちこち引きまわされることから、良好な走行性と安定性を具備することも要求される。しかし、これらの要求に積極的に答えようとした工業用掃除機は公知ではない。さらに、工業用掃除機は、多様な吸引対象に応じるために吸引ホースや、吸引用パイプ、各種のノズルなどアタッチメントも多くの種類を具備することとなるので、それらの保管や整理が大変である。しかしながら、付属品、備品類の保管や整理を考慮した工業用掃除機も知られていない。
【０００３】
安定性を高めるには、キャスターなどで構成される車輪の間隔を十分に広く取れば良いが、そうすると車輪が収納時に場所を取って邪魔になるという問題がある。そのため、特開平６−１０５７７５号の電気掃除機に見られるように、車輪の一部はタンクの下に配置されざるをえないこととなる。また、例えば特開２００２−１０２１３０号の洗浄装置では、移動のための専用台車を装備しているが、それでも最も大きい面積を占める本体の平面形状よりも外部へ張り出してまで車輪を設けてはいない。このため不安定になりがちであり、転倒も起こりやすい。
【０００４】
【特許文献１】特開平６−１０５７７５号
【特許文献２】特開２００２−１０２１３０号
【考案の開示】
【考案が解決しようとする課題】
【０００５】
本考案は前記の点に着目してなされたもので、その課題は、保管時などにおいて場所を取らず、かつ、すぐれた走行安定性を発揮する工業用掃除機における台車装置を提供することである。また、本考案の他の課題は、付属品、備品類の保管や整理のための機能を備えた工業用掃除機における台車装置を提供することである。
【課題を解決するための手段】
【０００６】
前記の課題を解決するため、本考案は、掃除機本体の下部に台車を配置した構成を有する工業用掃除機について、本体の外側にほぼ接する大きさの多角形を想定するとともに、本体から離れた上記多角形の角部に相当する位置又はその近傍の位置にそれぞれ車輪を設置するように構成するという手段を講じたものである。
【０００７】
本考案は、掃除機本体の下部に台車を配置した構成を有する工業用掃除機をその対象としているが、この構成には、台車上に掃除機本体を搭載して配置したものと、台車上に掃除機本体が配置されている状態に車輪を設けたものが含まれる。つまり本考案における台車とは、本体と別構造の台車枠に取り付けた車輪を有するものを意味するとともに、本体に直接的に取り付ける車輪単独のものをも含むことができる。
【０００８】
本考案の装置では、台車を可能な限り外方へ張り出すように配置することが重要であるとともに、それが、十分な安定性を得るために最小限度の張り出し量であることを必要とする。そのために本考案では、本体の外側にほぼ接する大きさの多角形を想定するとともに、本体から離れた上記多角形の角部に相当する位置又はその近傍の位置にそれぞれ車輪を設置しているものである。多角形は正方形ないし長方形或いは台形の場合が多いと判断されるが、三角形ないし六角形なども想定内の形状である。
【０００９】
本体の外側にほぼ接する大きさの多角形であれば、本体の平面積とほぼ同等ということであり、不要なまでに張り出しているものではない。本体の平面形が円形か、或いはそれに近い形状の場合、上記多角形の角部に相当する位置又はその近傍の位置は、本体よりも外部に位置することになり、十分な静止時は勿論、走行時においても安定性を得ることができる。従って、本考案は最小限度の張り出し量の車輪によって、十分な安定性を得るといえるものである。
【００１０】
また、上記多角形の角部に相当する位置又はその近傍の位置には、本体との間に間隔をあけて支柱を立て設けることができる。本体から張り出した位置に支柱を設けることは、本体との間の間隔を利用してそこにホース類を巻き付けることを可能にすると同時に、支柱自体を取り付け部位に利用すること、例えばダクトやノズルを支柱に差し込んでおけること、つまり保管や整理のための機能が備わることを意味する。
【００１１】
掃除機本体は縦長かつ円筒形状を有しており、台車を取り付ける台車枠は、上記円筒形状にほぼ外接する四角形の対角線と同様の交差状の形態を有し、前記台車枠の先端部にそれぞれ車輪を取り付けたボルトを利用して支柱を設けるという構成は、本考案において有意義なものである。円筒型の本体から成るいわゆる竪型の掃除機は転倒し易いため、本考案による転倒防止対策が、他の型よりも有効であるからである。
【００１２】
また、台車を台車枠に取り付ける構成を取る場合、台車枠としては、上記円筒形状にほぼ外接するものとして想定された、四角形の対角線と同様の交差状の形態を有していることが望ましい。台車枠としてもっとも単純な形態に属し、かつ、張り出し量が最小限度で済み、また、車輪も取り付け易い構造であるからである。
【００１３】
前記台車枠の先端部には、それぞれボルトにより車輪を取り付けることができるが、そのボルトは、また支柱の取り付け台として利用することができる。わざわざ支柱の取り付け相手を設ける必要がないのであるから合理的である。そして、必要とはいえ外方へ張り出している台車枠の先端部を、車輪取り付け台という別の用途に有効利用することができる。車輪としては可能な限り大径のキャスター輪を使用することが望まれる。大径のキャスター輪の方が、小径車輪よりも走行安定性が増し、しかも最低地上高も高くなりそれだけ汚れた床面から離れるからである。
【考案の効果】
【００１４】
本考案は以上のように構成されかつ作用するものであって、最小限度の張り出し量の車輪によって、十分な安定性を得るものであるから、保管時などにおいて場所を取らず、かつ、すぐれた走行安定性を発揮する工業用掃除機における台車装置を提供することができるという効果を奏する。また、本考案によれば、付属品、備品類の保管や整理のための機能を備えた、新規性を有する、工業用掃除機における台車装置を提供することができる。
【考案を実施するための最良の形態】
【００１５】
以下図示の実施形態を参照して本考案をより詳細に説明する。図１は本考案に係る工業用乾湿両用掃除機１０の外観を示しており、１１は上部に位置する吸引機部、１２は下部に位置する回収部であり、吸引機部１１と回収部１２との間に位置する吸引口１３は吸引機部側に設けられており、吸引ホース１４の取り付け口を構成している。図示の例における回収部１２は円筒型のタンク１５である。従って、吸引機部１１と回収部１２とから成る掃除機本体１６は縦長かつ円筒形状を有しているといえる。
【００１６】
上記のような構成を有する工業用掃除機について、本考案では、掃除機本体１６の外側にほぼ接する大きさの多角形１７を想定する。図２に示す例においては、掃除機本体１６が円筒型であり、円筒の方向による付属物や構造的な差もないので、想定する多角形１７は正方形である。そして、上記多角形１７の角部に相当する掃除機本体１６から離れた位置には、それぞれ後述するような構成をもって車輪２０を設置する。
【００１７】
図示の例では、上記の車輪２０を取り付ける台車枠１８として、上記円筒形状にほぼ外接する四角形の対角線と同様の交差状の形態を有しているものを使用する。台車枠１８は鋼製のコ字型材１９をほぼＸ字状に組んで形成されており、その先端部に車輪２０としての大径キャスター輪がキャスター枠部にて下方からボルト２１を用いて取り付けられている（図３Ｂ参照）。大径キャスター輪の大径については定義することが難しいけれども、例えば内向きにしたときに多角形１７の外へ出ない程度で最大の大きさということは一つの条件になる。
【００１８】
さらに本考案においては、前記台車枠１８の先端部にそれぞれ車輪２０を取り付けたボルト２１を利用して支柱２２を設けている。すなわち車輪取り付けボルト２１を支柱２２の取り付け台に利用する。支柱２２は、例えばダクトやノズルなどのいわゆるアタッチメント類２３を差し込んでおくために利用され、或いはノズルを掃除機本体１６に取り付けるホース類をタンク１５の周りに巻き付けて置くために利用される。従って、アタッチメント類２３の差し込みや、巻き付けたホース類の固定に必要な長さにその寸法を設定する。
【００１９】
図中２５は支柱上端に取り付けた樹脂キャップを示すが、キャップはやや膨らんだ形状と、目立つ色のものを使用することにより、外れ止めの機能も備わりかつ使用し易くもなる。２６はキャスター取り付けナット、２７は取っ手であり、タンク１５の上部側面に取り付けられている。
【００２０】
このように構成されている本考案における台車装置を適用した工業用掃除機１０は、図１に示したように、吸引口１３に吸引ホース１４を接続部にて接続し、電源コード２８を引き伸ばしつつ移動しながらノズル２９により床などにある塵埃等の固体や、汚水等の液体を吸引し、清掃作業に使用する。その際、車輪２０は大径キャスター輪から成るため、素早く移動させても安定して追随し、段差などで引っ掛かる恐れも少なく、スムーズに作業を進めることができる。
【００２１】
上記の工業用掃除機１０を使用しない時には、例えば図５に示したように、ダクト３０やノズル２９などのいわゆるアタッチメント類２３を支柱２２に差し込んでおくことができる。アタッチメント類２３として、ブラシ付きノズル３１、スリット用ノズル３２、が示されている。ホース類はタンク１５の周りに巻き付けて置くことができる。また、電源コード２８は本体上部のフック３３に掛けておくことができる。よって１台の掃除機に必要なものすべてをまとめられ、紛失の恐れもなく実用性が高い。
【図面の簡単な説明】
【００２２】
【図１】本考案に係る工業用掃除機における台車装置の一例を示す斜視図である。
【図２】同上の装置の説明図で、Ａは要部上面図、Ｂは下面図である。
【図３】同上の装置の説明図で、Ａは部分上面図、Ｂは側面図である。
【図４】同じく使用状態の説明図である。
【図５】同じく収納状態の斜視図である。
【符号の説明】
【００２３】
１０  工業用乾湿両用掃除機
１１  吸引機部
１２  回収部
１３  吸引口
１４  ホース
１５  タンク
１６  掃除機本体
１７  多角形
１８  台車枠
１９  コ字型材
２０  車輪
２１  ボルト
２２  支柱
２３  アタッチメント類
２５  キャップ
２６  ナット
２７  取っ手
２８  電源コード
２９  ノズル
３０  ダクト
３１  ブラシ付きノズル
３２  スリット用ノズル
３３  フック
【図１】
0003143321.tif 000003
【図２】
0003143321.tif 000004
【図３】
0003143321.tif 000005
【図４】
0003143321.tif 000006
【図５】
0003143321.tif 000007